(57)【要約】【課題】簡易な構成でありながら、ディスクリートトラック型の記録媒体におけるトラックの中心と回転軸との間の偏心量を低減し得る記録媒体取付け用ハブを提供する。【解決手段】モータ３に取り付け可能に形成された固定ハブ１１と、その軸線を固定ハブ１１の回転軸に略一致させた状態で固定ハブ１１に着脱自在に装着されると共にその上面が記録媒体載置面として形成された着脱ハブ１２と、着脱ハブ１２の軸線に対するディスクリートトラック媒体７におけるトラックの中心の偏心量を調整可能でかつ記録媒体載置面上にディスクリートトラック媒体７を固定可能に構成された保持機構１３とを備えている。【選択図】        図１
2004241042.tif 000002
【特許請求の範囲】
【請求項１】
回転機構に取り付け可能に形成された固定ハブと、その軸線を前記固定ハブの回転軸に略一致させた状態で当該固定ハブに着脱自在に装着されると共にその上面が記録媒体載置面として形成された着脱ハブと、当該着脱ハブの前記軸線に対するディスクリートトラック型の記録媒体におけるトラックの中心の偏心量を調整可能でかつ前記記録媒体載置面上に前記記録媒体を固定可能に構成された保持機構とを備えている記録媒体取付け用ハブ。
【請求項２】
請求項１記載の記録媒体取付け用ハブと、前記固定ハブが取り付けられて前記記録媒体取付け用ハブを回動させる前記回転機構と、前記記録媒体に対して情報の記録再生を行うための磁気ヘッドとを備えている記録再生特性評価装置。
【請求項３】
回転機構に取り付け可能に形成された固定ハブにその軸線を前記回転機構の回転軸に略一致させた状態で着脱自在に装着される着脱ハブにおける記録媒体載置面にそのトラックの中心と当該着脱ハブの軸線とを略一致させた状態でディスクリートトラック型の記録媒体を固定し、当該記録媒体が固定された前記着脱ハブを前記出力軸または前記固定ハブに取り付ける記録媒体取付け方法。
【発明の詳細な説明】
【０００１】
【発明の属する技術分野】
本発明は、ディスクリートトラック型の記録媒体におけるトラックの中心と回転軸との間の偏心量を低減可能な記録媒体取付け用ハブおよび記録再生特性評価装置、並びにディスクリートトラック型の記録媒体をハブに取り付ける際における記録媒体のトラックの中心とハブの回転軸との間の偏心量を低減可能な記録媒体取付け方法に関するものである。
【０００２】
【従来の技術】
近年、トラック間を物理的な溝で分離することによってトラック相互間の磁気的干渉を低減してトラック間隔を狭め、情報を高密度で記録可能に構成された記録媒体であるディスクリートトラック型の記録媒体（以下、「ディスクリートトラック媒体」ともいう）が開発されている。このディスクリートトラック媒体は、一般的な磁気記録媒体（トラック間に溝のない磁気ディスク）と同様にして、その外形がディスク（円板体）状に形成されると共に、その中心部に円形の装着孔が形成されている。また、ディスクリートトラック媒体としては、そのトラックが磁気的な連続体として形成されている記録媒体が一般的であるが、磁気的に分離されたビットが配列されてトラック状に形成されているディスクリートビットトラック媒体も含まれる。このディスクリートトラック媒体においても、通常の記録媒体と同様にして、磁気ヘッドを用いて、表面に形成されたトラックに情報を記録し、かつ記録した情報を再生することにより、トラックの記録再生特性を評価する必要がある。
【０００３】
ところで、ディスクリートトラック媒体では、製造精度上、装着孔の中心（ディスクリートトラック媒体の中心）とトラックの中心との間に約４０μｍの位置ずれが生じる可能性がある。また、トラックの記録再生特性を評価する記録再生特性評価装置における記録媒体取付け用ハブ（以下、「ハブ」ともいう）にディスクリートトラック媒体を取り付けた際にも、ハブの外径よりもディスクリートトラック媒体の装着孔の内径が大径に形成されていることに起因して、ハブへのディスクリートトラック媒体の取付位置が約３０μｍ位置ずれするおそれがある。さらに、ディスクリートトラック媒体における装着孔の内径の製造上の公差によって取付け位置が約２０μｍばらつくおそれもある。
【０００４】
したがって、記録再生特性評価装置に装着される際には、ディスクリートトラック媒体は、これらの位置ずれやばらつきに起因して、ハブの回転軸とディスクリートトラック媒体のトラックの中心との間において約９０μｍ偏心した状態で装着されるおそれがある。この場合、偏心量が大きければ、記録再生特性評価装置においてディスクリートトラック媒体を回転させた際に、記録再生特性評価装置の磁気ヘッドの軌跡とディスクリートトラック媒体のトラックとが一致する区間が短くなる。したがって、この一致する区間、つまり磁気ヘッドのオントラック時間が短くなることに起因して、オントラック時間内にトラックから読み出した情報に基づくトラックの記録再生特性の評価を正確に行うのが困難であるという問題点が存在する。すなわち、一回転当たりに得ることができる測定情報が少ないため、記録再生特性の評価に要する時間が長時間化して、サーマルドリフトなどの外的要因の影響を受け易く、高精度の評価が困難であるという問題点も存在する。
【０００５】
このため、例えば特開平５−２０７５７号に開示されている技術、すなわち、バイメタル等の熱的に変形する素子をハブに配置して、ハブの回転軸と記録媒体のトラックにおける中心との間の偏心量を低減するという技術を利用して、オントラック時間を長くすることが考えられる。また、特開平５−３１４６４２号に開示されている技術、すなわち、ばね力によって記録媒体を記録再生特性評価装置のハブにクランプさせた状態で、記録再生特性評価装置に配設した補正機構（顕微鏡、マイクロメータヘッドおよびその回転駆動部）を用いて記録媒体の取付位置を変更してハブの回転軸とディスクリートトラック媒体におけるトラックの中心との間の偏心を補正するという技術を利用して、オントラック時間を長くすることも考えられる。
【０００６】
【特許文献１】
特開平５−２０７５７号公報（第２−３頁）
【特許文献２】
特開平５−３１４６４２号公報（第３頁）
【０００７】
【発明が解決しようとする課題】
しかしながら、前者の技術には、ハブの構造が複雑になることに起因して、ハブの組み立て精度が低下するため、偏心補正できる精度に限界があるという問題点が存在する。また、後者の技術には、補正機構を記録再生特性評価装置に配設する必要があるため、記録再生特性評価装置が大形化し、しかも記録媒体を交換する度に偏心補正を行う必要があるという問題点が存在する。
【０００８】
本発明は、かかる問題点に鑑みてなされたものであり、簡易な構成でありながら、ディスクリートトラック型の記録媒体におけるトラックの中心と回転軸との間の偏心量を低減し得る記録媒体取付け用ハブ、大形化を回避しつつ記録媒体におけるトラックの中心と回転軸との間の偏心量を低減し得る記録再生特性評価装置を提供することを主目的とする。また、ディスクリートトラック型の記録媒体をハブに取り付ける際に、記録媒体のトラック中心とハブの回転軸との間の偏心量を低減し得る記録媒体取付け方法を提供することを他の主目的とする。
【０００９】
【課題を解決するための手段】
上記目的を達成すべく本発明に係る記録媒体取付け用ハブは、回転機構に取り付け可能に形成された固定ハブと、その軸線を前記固定ハブの回転軸に略一致させた状態で当該固定ハブに着脱自在に装着されると共にその上面が記録媒体載置面として形成された着脱ハブと、当該着脱ハブの前記軸線に対するディスクリートトラック型の記録媒体におけるトラックの中心の偏心量を調整可能でかつ前記記録媒体載置面上に前記記録媒体を固定可能に構成された保持機構とを備えている。
【００１０】
また、本発明に係る記録再生特性評価装置は、上記の記録媒体取付け用ハブと、前記固定ハブが取り付けられて前記記録媒体取付け用ハブを回動させる前記回転機構と、前記記録媒体に対して情報の記録再生を行うための磁気ヘッドとを備えている。
【００１１】
また、本発明に係る記録媒体取付け方法は、回転機構に取り付け可能に形成された固定ハブにその軸線を前記回転機構の回転軸に略一致させた状態で着脱自在に装着される着脱ハブにおける記録媒体載置面にそのトラックの中心と当該着脱ハブの軸線とを略一致させた状態でディスクリートトラック型の記録媒体を固定し、当該記録媒体が固定された前記着脱ハブを前記出力軸または前記固定ハブに取り付ける。
【００１２】
【発明の実施の形態】
以下、添付図面を参照して、本発明に係る記録媒体取付け用ハブ、記録再生特性評価装置および記録媒体取付け方法の好適な実施の形態について説明する。
【００１３】
最初に、本発明に係る記録再生特性評価装置の構成について、図面を参照して説明する。
【００１４】
図１に示す記録再生特性評価装置１は、記録媒体評価装置であって、ハブ２、出力軸３ａを備えた回転機構としてのモータ３、磁気ヘッド４、アクチュエータ５および制御部６を備え、ディスクリートトラック媒体７に対して情報の記録および再生を行うことによってディスクリートトラック媒体７の記録再生特性を評価可能に構成されている。
【００１５】
ハブ２は、同図に示すように、固定ハブ１１、着脱ハブ１２および保持機構１３を備えて構成されている。この場合、固定ハブ１１は、外形が円柱状に形成されると共に、その軸線がモータ３における出力軸３ａの軸線（回転軸Ａ）に略一致する状態で出力軸３ａに取り付けられている。また、固定ハブ１１は、その上面中央部に円柱状の凸部１１ａが形成されると共に、凸部１１ａの上面中央部に雌ねじ孔１１ｂが軸線に沿って形成されている。
【００１６】
着脱ハブ１２は、外形が円柱状に形成され、固定ハブ１１の凸部１１ａに嵌合可能な底面視円形状の凹部１２ａが下面中央部に形成されると共に、平坦面に形成された記録媒体載置面としての上面の中央部に円柱突起１２ｂが形成されている。この場合、円柱突起１２ｂは、その外径がディスクリートトラック媒体７の装着孔７ａの内径よりも小径（例えば約２００μｍ小径）に形成されると共に、その外周面に雄ねじ（図示せず）が形成されている。また、着脱ハブ１２には、円柱突起１２ｂの上面から凹部１２ａの内底面に達する貫通孔１２ｃが軸線に沿って形成されている。上記した構成により、着脱ハブ１２は、固定ハブ１１の凸部１１ａに凹部１２ａを嵌合させることにより、固定ハブ１１の軸線、すなわち出力軸３ａの回転軸Ａに軸線を略一致させた状態で固定ハブ１１の上部に着脱自在に取り付けられ、さらに固定ねじ１４を貫通孔１２ｃに挿入して固定ハブ１１の雌ねじ孔１１ｂと螺合させることにより、固定ハブ１１に対して一体的に（相対回転不能に）固定される。また、着脱ハブ１２の円柱突起１２ｂには、締付けナット１５が螺合されている。上記した保持機構１３は、この締付けナット１５、上記した着脱ハブ１２の上面、および着脱ハブ１２の円柱突起１２ｂによって構成される。
【００１７】
なお、モータ３の出力軸３ａ、固定ハブ１１および着脱ハブ１２は機械加工によってそれぞれ製造されるため、出力軸３ａの軸線と固定ハブ１１の軸線との間、および固定ハブ１１の軸線と着脱ハブ１２の軸線との間には偏心が生じる。したがって、厳密には、これらの部材同士の軸線を完全に一致させるのは困難である。しかしながら、各部材を高精度に加工することにより、各部材間の偏心を約１０μｍに収めることができ、この偏心量は上記した他の要因に起因する偏心量に比べて非常に小さくなっている。このため、本明細書では、理解を容易にすべく、この程度（１０μｍ程度）の偏心が各部材間に生じていたとしても、各部材の軸線同士が略一致しているものとして説明する。
【００１８】
なお、固定ハブ１１の凸部１１ａを楕円や多角形等の非円形の平面形状に形成し、かつ凹部１２ａの底面視形状をその相補的形状に形成することもできる。この構成を採用した場合、着脱ハブ１２は、固定ハブ１１に凹凸嵌合した状態において、固定ハブ１１に対して相対回転不能な状態で取り付けられる。この構成によれば、モータ３の回転力を固定ハブ１１を介して着脱ハブ１２に確実に伝達することができる。また、逆に、固定ハブ１１側に凹部を形成し、かつ着脱ハブ１２側に凸部を形成することで着脱ハブ１２と固定ハブ１１とを凹凸嵌合させる構成を採用することもできる。
【００１９】
モータ３は、作動信号Ｓａを入力しているときに回転してハブ２を一定の回転数で回転させる。磁気ヘッド４は、入力した情報をディスクリートトラック媒体７に記録する機能と、ディスクリートトラック媒体７から読み出した情報を出力する機能とを備えている。アクチュエータ５は、入力した制御信号Ｓｂの指示に従ってディスクリートトラック媒体７上で磁気ヘッド４を移動させる。
【００２０】
制御部６は、ＣＰＵおよびメモリ等によって構成され、記録再生特性評価装置１の各構成要素に対する動作制御を実行する。具体的には、制御部６は、作動信号Ｓａを出力することによってモータ３の動作を制御する。また、制御部６は、制御信号Ｓｂを出力することによってアクチュエータ５の動作を制御する。さらに、制御部６は、メモリに記憶されている情報を読み出して磁気ヘッド４に出力すると共に、磁気ヘッド４を介してディスクリートトラック媒体７から読み出した情報を入力してメモリに記憶する。また、制御部６は、ディスクリートトラック媒体７から読み出した情報に基づいてディスクリートトラック媒体７におけるトラックの記録再生特性を評価するするための各種データを生成する。
【００２１】
次に、記録媒体装着装置２１の概要構成について図２を参照して説明する。この記録媒体装着装置２１は、ディスクリートトラック媒体７を、そのトラックの中心が着脱ハブ１２の軸線と略一致するように調整して着脱ハブ１２に取り付けるために使用される装置であって、一例として、着脱ハブ用装着部（以下、「装着部」ともいう）２２、測長顕微鏡２３、ディジタル表示装置２４、２つのマイクロメータヘッド２５（図３参照。図２には、１つのみを図示する）、各マイクロメータヘッド２５に設けられた回転駆動部２６、リモートコントローラ２７、媒体固定部２８、およびＸ−Ｙステージ２９を備えて構成されている。この場合、測長顕微鏡２３は、装着部２２に装着された着脱ハブ１２の中心（軸線）Ｃ（図３参照）に対するディスクリートトラック媒体７におけるトラックＴ（同図参照）の中心Ｂの偏心量を算出して出力する。この場合、その偏心量は、Ｘ−Ｙステージ２９におけるＸ軸方向およびＹ軸方向の各ずれ量（ΔＸ，ΔＹ）として算出される。ディジタル表示装置２４は、測長顕微鏡２３によって算出された偏心量を記憶すると共にディジタル表示する。各回転駆動部２６は、リモートコントローラ２７を介して入力される制御信号に基づいて所定方向に所定角度回転することにより、対応するマイクロメータヘッド２５を所望量だけ突出入させる。媒体固定部２８は、Ｘ−Ｙステージ２９の上面に配設されると共に、ディスクリートトラック媒体７を保持してＸ−Ｙステージ２９上に固定する機能を備えている。Ｘ−Ｙステージ２９は、基台３０上に載置されると共に、突出入する各マイクロメータヘッド２５によって駆動されることにより、媒体固定部２８を装着部２２に対してＸ軸方向およびＹ軸方向に相対移動させる。したがって、各マイクロメータヘッド２５を突出入させることにより、媒体固定部２８に保持されたディスクリートトラック媒体７と装着部２２に装着された着脱ハブ１２との相対位置が任意に変化する。
【００２２】
次いで、ディスクリートトラック媒体７におけるトラックＴの記録再生特性評価装置１に対する偏心除去方法について、模式図を参照して説明する。
【００２３】
まず、図２，３に示すように、着脱ハブ１２を記録媒体装着装置２１の装着部２２に装着する。次いで、同図に示すように、ディスクリートトラック媒体７を媒体固定部２８に固定する。この場合、ディスクリートトラック媒体７の装着孔７ａ内に着脱ハブ１２の円柱突起１２ｂを進入させて、ディスクリートトラック媒体７の内周側下面を着脱ハブ１２の上面に当接させる。この場合、着脱ハブ１２における円柱突起１２ｂの外径がディスクリートトラック媒体７の装着孔７ａの内径よりも小径に形成されているため、各マイクロメータヘッド２５を突出入させてＸ−Ｙステージ２９を駆動することにより、ディスクリートトラック媒体７を着脱ハブ１２に対して任意の方向に向けて最大で所定量（約１００μｍ）だけ移動可能となっている。この場合、移動可能なこの所定量は、上記したハブ２の回転軸Ａとディスクリートトラック媒体７におけるトラックＴの中心Ｂとの最大偏心量（例えば、上記した約９０μｍ）を補正し得る移動量以上に規定されている。
【００２４】
次いで、ディジタル表示装置２４に表示されているディスクリートトラック媒体７におけるトラックＴの中心Ｂと着脱ハブ１２の中心Ｃとの偏心量を観察しつつリモートコントローラ２７を操作して、この偏心量がゼロになるようにディスクリートトラック媒体７を移動させる（トラックＴの中心Ｂの着脱ハブ１２の中心Ｃへの位置決め作業を実施する）。例えば、図３に示すように、トラックＴの中心Ｂが着脱ハブ１２の中心Ｃに対して左側に偏心している場合、ディスクリートトラック媒体７を右方向に移動させて、図４に示すように、トラックＴの中心Ｂを着脱ハブ１２の中心Ｃ上に移動させる。
【００２５】
次いで、偏心量がゼロになった場合には、図５に示すように、円柱突起１２ｂに締付けナット１５を螺合して、締付けナット１５と着脱ハブ１２の上面との間でディスクリートトラック媒体７を挟持してディスクリートトラック媒体７を着脱ハブ１２に固定する。次いで、ディジタル表示装置２４に表示されている偏心量がゼロか否かを再確認する。その確認の結果、偏心量がゼロの場合には、着脱ハブ１２へのディスクリートトラック媒体７の取付け作業を完了する。なお、ゼロでない場合には、締付けナット１５を緩めて、上記した位置決め作業を繰り返す。この記録媒体装着装置２１では、測長顕微鏡２３の性能（測定精度）に起因する約３μｍの偏心量内でディスクリートトラック媒体７を着脱ハブ１２に対して位置決めすることができる。したがって、上記した位置決め作業により、着脱ハブ１２の中心Ｃに対するディスクリートトラック媒体７におけるトラックＴの中心Ｂの偏心量が約３μｍ以内（略一致した状態）となるようにディスクリートトラック媒体７を着脱ハブ１２に固定することができる。
【００２６】
次いで、ディスクリートトラック媒体７が固定された着脱ハブ１２を記録再生特性評価装置１の固定ハブ１１に取り付ける。この場合、上記したように、固定ハブ１１に対する着脱ハブ１２の偏心量が約１０μｍのため、ディスクリートトラック媒体７は、トラックＴの中心Ｂと回転軸Ａとの間の偏心量が約１３μｍ（＝約１０μｍ＋約３μｍ）以内となるようにハブ２に固定される。最後に、固定ねじ１４を貫通孔１２ｃ内に挿入して雌ねじ孔１１ｂに螺合させて、着脱ハブ１２を固定ハブ１１に固定する。これにより、記録再生特性評価装置１を作動させることで、以後、ディスクリートトラック媒体７のトラックに関する記録再生特性が評価される。
【００２７】
このように、この記録再生特性評価装置１によれば、固定ハブ１１および着脱ハブ１２の２つにハブ２を分割し、かつ着脱ハブ１２の中心（軸線）Ｃに対するディスクリートトラック媒体７におけるトラックＴの中心Ｂの偏心量を調整して着脱ハブ１２の上面にディスクリートトラック媒体７を固定可能な保持機構１３を着脱ハブ１２に設けるという簡易な構成により、装着孔７ａの中心に対するトラックＴの中心Ｂの偏心量が大きいディスクリートトラック媒体７であっても、この偏心量を最小限に抑えつつディスクリートトラック媒体７をハブ２に固定することができる。このため、記録再生特性評価装置１において、ディスクリートトラック媒体７のトラックに関する記録再生特性を評価する際のオントラック時間を十分に長くできる結果、高い精度でトラックに関する記録再生特性を評価することができる。また、ディスクリートトラック媒体７の一回転当たりのオントラック時間を十分に長くできるため、一回転当たりに得ることができる測定情報を増やすことができる結果、記録再生特性の評価に要する時間を十分に短縮することができる。したがって、記録再生特性の評価時間が長時間化することで問題となるサーマルドリフトなどの外的要因の影響を最小限に抑えることができるため、一層高精度の評価を行うことができる。
【００２８】
また、着脱ハブ１２をディスクリートトラック媒体７毎に用意し、記録媒体装着装置２１を使用して着脱ハブ１２にディスクリートトラック媒体７を一旦取り付けた後では、着脱ハブ１２とディスクリートトラック媒体７とを分離せずに一体として保管する方法を採用することもできる。この方法によれば、保管したディスクリートトラック媒体７におけるトラックの記録再生特性を再度評価する際に、記録媒体装着装置２１を使用することなく、記録再生特性評価装置１にディスクリートトラック媒体７を着脱ハブ１２と共に装着するだけで偏心量の少ない状態で記録再生特性を評価することができる結果、評価に要する時間を大幅に短縮することができる。
【００２９】
なお、本発明は、上記した実施の形態に限定されない。例えば、本発明の実施の形態では、円柱突起１２ｂの外周面に雄ねじを形成して締付けナット１５を螺合させることにより、ディスクリートトラック媒体７を着脱ハブ１２に固定する固定機構を採用した例について説明したが、ねじ構造に代えてバヨネット構造等の各種の公知の固定機構を採用することができる。また、モータ３の出力軸３ａ自体を固定ハブとして構成する場合には、この出力軸３ａに対して着脱ハブ１２を着脱自在に取り付けて構成することもできる。
【００３０】
また、図６に示す固定構造をモータ３の出力軸３ａへの固定ハブの固定構造、固定ハブへの着脱ハブの固定構造、および着脱ハブへのディスクリートトラック媒体７の固定構造に採用することにより、ディスクリートトラック媒体７をねじによって固定することもできる。この場合、同図に示すように、固定ハブ３１は、外形が円柱状に形成されると共に、上面中央部に開口する中心孔３１ａが中心部に形成されている。また、固定ハブ３１の上面には、中心孔３１ａを取り囲むようにして円筒体３１ｂが立設されている。また、中心孔３１ａを構成する固定ハブ３１の内底面から固定ハブ３１の下面に貫通する貫通孔３１ｃが中心孔３１ａと同軸に形成されている。また、固定ハブ３１の上面には、ねじ孔３１ｄが一例として等角度間隔で４つ設けられている。また、固定ハブ３１の下面には、固定ハブ３１の中心部から離間した位置にピン３１ｅが一例として２本立設されている。
【００３１】
着脱ハブ３２は、図６に示すように、その外形が下端側から上端側に向けて段階的に小径になる円筒状に形成されている。具体的には、着脱ハブ３２は、各々の内径が同径に形成された外径の異なる３種類の円筒体（大径筒体３２ａ、中径筒体３２ｂ、小径筒体３２ｃ）をこの順に各軸線を一致させた状態で一体的に積層した構成と等価な構成に形成されている。この場合、大径筒体３２ａは、その外径がディスクリートトラック媒体７の装着孔７ａの内径よりも大径に形成されている。また、中径筒体３２ｂは、その高さ（厚み）がディスクリートトラック媒体７の厚みよりも若干短めに形成され、その外径がディスクリートトラック媒体７における装着孔７ａの内径よりも小径に形成されている。また、中径筒体３２ｂおよび大径筒体３２ａには、中径筒体３２ｂの上面から大径筒体３２ａの下面に貫通しねじ孔３１ｄに連通する貫通孔３２ｄが軸線と平行に形成されている。さらに、中径筒体３２ｂの上面には、各貫通孔３２ｄの中間位置にねじ孔３２ｅがそれぞれ形成されている。
【００３２】
出力軸３ａは、図６，７に示すように、上面中央部に開口するねじ孔３ｂが中心部に形成されると共に、ピン３１ｅを挿入可能な凹部３ｃがピン３１ｅに対応する位置に形成されている。この場合、凹部３ｃの内径は、ピン３１ｅの外径よりも大径に形成されている。
【００３３】
固定用円板３３は、中心孔３３ａの内径が小径筒体３２ｃの外径よりも若干大径に形成されると共に、図８に示すように、着脱ハブ３２の貫通孔３２ｄおよびねじ孔３２ｅの各位置に対応して貫通孔３３ｂが中心孔３３ａの周囲に８つ形成されている。この場合、ディスクリートトラック媒体７に対する保持機構３６は、大径筒体３２ａの上面、固定用円板３３、およびねじ孔３２ｅと螺合する取付ねじ３４によって構成される。
【００３４】
次いで、ディスクリートトラック媒体７におけるトラックＴの記録再生特性評価装置１に対する偏心除去方法について説明する。
【００３５】
まず、図６に示すように、固定ハブ３１を出力軸３ａ上に固定する。具体的には、各ピン３１ｅを出力軸３ａの凹部３ｃに挿入した状態で出力軸３ａの上面に固定ハブ３１を載置し、さらに、固定ハブ３１の中心孔３１ａから貫通孔３１ｃに取付ねじ４１を挿入してその先端部をねじ孔３ｂに螺合させることにより、固定ハブ３１を出力軸３ａに相対回転不能に固定する。この場合、貫通孔３１ｃの内径よりも小径の取付ねじ４１を使用することにより、貫通孔３１ｃと取付ねじ４１との間、および凹部３ｃとピン３１ｅとの間にそれぞれクリアランスが生じる。このため、取付ねじ４１のねじ締め前の状態では、このクリアランスを利用して固定ハブ３１を出力軸３ａ上で円筒体３１ｂの外周面を測定面としてダイヤルゲージなどを用いて中心位置を調整することにより、出力軸３ａの回転軸に固定ハブ３１の中心軸を略一致させることができる。したがって、固定ハブ３１の製造精度に影響されることなく、出力軸３ａの回転軸に固定ハブ３１の中心軸を略一致させた状態で固定ハブ３１を出力軸３ａに固定することができる。
【００３６】
次いで、着脱ハブ１２の場合と同様にして、着脱ハブ３２にディスクリートトラック媒体７を位置決めして固定する。具体的には、記録媒体装着装置２１を使用することにより、着脱ハブ３２における大径筒体３２ａの上面（記録媒体載置面）においてディスクリートトラック媒体７の位置を移動させて着脱ハブ３２の中心にディスクリートトラック媒体７におけるトラックＴの中心Ｂを略一致させる（位置決めする）。続いて、中心孔３３ａ内に小径筒体３２ｃを挿入することによって固定用円板３３をディスクリートトラック媒体７および中径筒体３２ｂの上面に載置した後、固定用円板３３の貫通孔３３ｂ内に取付ねじ３４を挿入して着脱ハブ３２のねじ孔３２ｅに螺合させることにより、大径筒体３２ａの上面と固定用円板３３の下面との間でディスクリートトラック媒体７を挟持して固定する。
【００３７】
次いで、着脱ハブ３２内に固定ハブ３１の円筒体３１ｂを挿入して、固定ハブ３１の上面に着脱ハブ３２を載置する。続いて、固定用円板３３の貫通孔３３ｂおよびこの貫通孔３３ｂに連通する着脱ハブ３２の貫通孔３２ｄ内に取付ねじ３５を挿入して固定ハブ３１のねじ孔３１ｄに螺合させることにより、着脱ハブ３２を固定ハブ３１に固定する。したがって、図６に示す固定構造を採用することにより、図１に示す固定構造と比較して、固定ハブ３１の中心軸と出力軸３ａの回転軸との位置合わせ精度を高くすることができるため、より高い精度でディスクリートトラック媒体７のトラックＴの中心Ｂを出力軸３ａの回転軸に略一致させることができる。
【００３８】
【発明の効果】
以上のように、本発明に係る記録媒体取付け用ハブおよび記録媒体取付け方法によれば、回転機構の出力軸またはこの出力軸に取り付け可能に形成された固定ハブにその軸線を出力軸の回転軸に略一致させた状態で着脱自在に装着される着脱ハブにおける記録媒体載置面にそのトラックの中心と着脱ハブの軸線とを略一致させた状態でディスクリートトラック型の記録媒体を固定し、記録媒体が固定された着脱ハブを出力軸または固定ハブに取り付けることにより、回転機構の出力軸または固定ハブの回転軸に対するトラックの中心の偏心量を低減することができるため、簡易な構成でありながら、回転機構の出力軸またはハブの回転軸に対するトラックの中心の偏心量を最小限に抑えつつ記録媒体を回転機構の出力軸またはハブに固定することができる。
【００３９】
また、本発明に係る記録再生特性評価装置によれば、上記の記録媒体取付け用ハブと、固定ハブが取り付けられて記録媒体取付け用ハブを回動させる回転機構と、ディスクリートトラック型の記録媒体に対して情報の記録再生を行うための磁気ヘッドとを備えたことにより、ハブの回転軸に対するトラックの中心の偏心量を最小限に抑えつつ記録媒体をハブに固定することができるため、記録媒体のトラックに関する記録再生特性を評価する際のオントラック時間を十分に長くすることができる結果、高い精度でトラックに関する記録再生特性を評価することができる。また、記録媒体の一回転当たりのオントラック時間を十分に長くでき、それによって一回転当たりに得ることができる測定情報を増やすことができる結果、記録再生特性の評価に要する時間を十分に短縮することができる。したがって、記録再生特性の評価時間が長時間化することに起因して問題となるサーマルドリフトなどの外的要因の影響を最小限に抑えることができるため、一層高精度の評価を行うことができる。また、記録媒体を着脱ハブに一旦取り付けた後では、着脱ハブと記録媒体とを分離せずに一体として保管することにより、保管した記録媒体におけるトラックの記録再生特性を再度評価する際に、記録媒体装着装置を使用することなく、記録再生特性評価装置に記録媒体を着脱ハブと共に装着するだけで偏心量の少ない状態で記録再生特性を評価することができる結果、評価に要する時間を大幅に短縮することができる。さらに、補正機構などを必要としないため、装置の大形化を回避することができる。
【図面の簡単な説明】
【図１】本発明の実施の形態に係る記録再生特性評価装置１の構成図である。
【図２】記録媒体装着装置２１の構成図である。
【図３】記録媒体装着装置２１において、着脱ハブ１２上にディスクリートトラック媒体７を載置した状態の模式的な平面図である。
【図４】図３に示す状態から、ディスクリートトラック媒体７におけるトラックＴの中心Ｂを装着部２２の中心Ｃ上に移動させた状態の模式的な平面図である。
【図５】記録媒体装着装置２１において、締付けナット１５を使用して着脱ハブ１２にディスクリートトラック媒体７を固定した状態の断面図である。
【図６】モータ３の出力軸３ａに固定ハブ３１を固定する固定構造、固定ハブ３１に着脱ハブ３２を固定する固定構造、および着脱ハブ３２にディスクリートトラック媒体７を固定する固定構造の断面図である。
【図７】図６におけるモータ３の平面図である。
【図８】図６に示す構成においてディスクリートトラック媒体７を着脱ハブ３２に載置した状態（取付ねじ３４，３５による固定前の状態）の平面図である。
【符号の説明】
１  記録再生特性評価装置
２  ハブ
３  モータ
３ａ  出力軸
４  磁気ヘッド
５  アクチュエータ
６  制御部
７  ディスクリートトラック媒体
１１，３１  固定ハブ
１２，３２  着脱ハブ
１２ｂ  円柱突起
１３  保持機構
１４，４１  固定ねじ
１５  締付けナット
２１  記録媒体装着装置
２２  装着部
２３  測長顕微鏡
２４  ディジタル表示装置
２５  マイクロメータヘッド
２６  回転駆動部
２７  リモートコントローラ
Ａ  回転軸
【図１】
2004241042.tif 000003
【図２】
2004241042.tif 000004
【図３】
2004241042.tif 000005
【図４】
2004241042.tif 000006
【図５】
2004241042.tif 000007
【図６】
2004241042.tif 000008
【図７】
2004241042.tif 000009
【図８】
2004241042.tif 000010